(57)【要約】【課題】  外観を損なわず、ラッチ装置の機能低下を防止でき、且つ足等を傷つけることなく安全性の高い折り戸を提供する。【解決手段】  本発明の折り戸１において、左右障子１５、１７は召し合わせ框２１、２３の内側に中央框１９を連結しており、折り戸１を閉じたときに中央框１９を呑み込んでおり、ラッチ装置２３は左右障子１５、１７の少なくとも一方の召し合わせ框２１内に設けてあり、ラッチ３９を上下に移動する被作動部３３を有し、中央框１９は召し合わせ框２１内の部位に被作動部３３に作用する作動部３１を備え、中央框１９に対して召し合わせ框２１が回動すると作動部３１がラッチ装置２５の被作動部３３を移動して、ラッチ３９の昇降をおこなう。【選択図】      図１
2005133377.tif 000002
【特許請求の範囲】
【請求項１】
左右障子と、左右障子の召し合わせ框を連結する中央框と、レールに係合する可動ラッチを有するラッチ装置とを備えた折り戸であって、左右障子は召し合わせ框の内側に中央框を連結して折り戸を閉じたときに中央框を呑み込んでおり、ラッチ装置は左右障子の少なくとも一方の召し合わせ框内に設けてあり、ラッチを上下に移動する被作動部を有し、中央框は召し合わせ框内の部位に被作動部に作用する作動部を備え、中央框に対して召し合わせ框が回動すると作動部がラッチ装置の被作動部を移動して、ラッチの昇降をおこなうことを特徴とする折り戸。
【請求項２】
ラッチ装置は、ケースと、下端にラッチを連結しケースに挿通した軸と、ケースに対して軸を常時上方に付勢するばねと、ケースに固定してあり下向きのカム面を有する固定カムと、軸に固定してあり上向きのカム面を有する従動カムとを有し、被作動部の回転により従動カムが固定カムに対して上下に摺動して軸を昇降することを特徴とする請求項１に記載の折り戸。
【請求項３】
固定カムと従動カムとにはそれぞれ円周方向に沿って相互に噛みあう山形のカム面を設けてあり、ケースには被作動部の回動を制限するストッパを設けてあり、従動カムが移動したときにカム面の山を乗り越える前にストッパが被作動部の移動を制限することを特徴とする請求項１又は２に記載の折り戸。
【発明の詳細な説明】
【技術分野】
【０００１】
本発明は、閉じ状態を保持するラッチ装置を備えた折り戸に関するものである。
【背景技術】
【０００２】
折り戸を閉じたときにはラッチがレールに係合して折り戸の閉じ状態を保持し、折り戸を開くときにはラッチを引き上げてレールとの係合を外す技術が公知である。
【０００３】
この種の技術として、特許文献１及び２には左右障子の召し合わせ框を連結する中央框の外面にラッチ装置を取り付け、中央框に対して召し合わせ框が回動したときに召し合わせ框に設けた作動部によりラッチを昇降させる技術が開示されている。
【０００４】
特許文献３には、障子の吊元框内に、回動により上下動する操作具を設け、操作具の上下動により障子下部に設けたタイト材を上下動させ、障子を閉じたときに障子の下と下枠との間の水密を保持することが開示されている。
【０００５】
特許文献４には、中央框の内側にラッチ装置を設け、ラッチ装置の操作部を中央框の下端に配置して、障子を閉じたときに召し合わせ框の下端に設けた操作部がラッチ装置の被操作部を下方に押し下げてラッチを作動させることが開示されている。
【０００６】
【特許文献１】特開２００１−３３６３３２号公報
【特許文献２】特開２００２−２１４０２号公報
【特許文献３】特開平１０−１２１８６５号公報
【特許文献４】特開平１１−３１５６５９号公報
【発明の開示】
【発明が解決しようとする課題】
【０００７】
しかし、上述した特許文献１及び２に記載のラッチ装置は、中央框の外面に設けているので、外部から見えて折り戸の外観を損なうとともに、露出しているので劣化しやすく且つゴミ等の付着により機能が低下するおそれがある。
【０００８】
特許文献３では開き障子に設けた操作具は框の内側に設けているが、框は回動するのみで室内外方向に移動しないので折り戸に適用することができない。また、特許文献３はタイト材による水密を図るものであり、閉じ状態を保持するものではない。
【０００９】
特許文献４の折り戸では、ラッチ装置は框の内側に設けているが、作動部及び被作動部は框の下端に露出しているので、外から見えて外観を損なうとともに、作動部及び被作動部は外に突出しているので、足等を引っ掛けて傷つけるおそれがある。
【００１０】
そこで本発明は、外観を損なわず、ラッチ装置の機能低下を防止でき、且つ足等を傷つけることなく安全性の高い折り戸の提供を目的とする。
【課題を解決するための手段】
【００１１】
請求項１に記載の発明は、左右障子と、左右障子の召し合わせ框を連結する中央框と、レールに係合する可動ラッチを有するラッチ装置とを備えた折り戸であって、左右障子は召し合わせ框の内側に中央框を連結して折り戸を閉じたときに中央框を呑み込んでおり、ラッチ装置は左右障子の少なくとも一方の召し合わせ框内に設けてあり、ラッチを上下に移動する被作動部を有し、中央框は召し合わせ框内の部位に被作動部に作用する作動部を備え、中央框に対して召し合わせ框が回動すると作動部がラッチ装置の被作動部を移動して、ラッチの昇降をおこなうことを特徴とする。
【００１２】
請求項２に記載の発明は、請求項１に記載の発明において、ラッチ装置は、ケースと、下端にラッチを連結しケースに挿通した軸と、ケースに対して軸を常時上方に付勢するばねと、ケースに固定してあり下向きのカム面を有する固定カムと、軸に固定してあり上向きのカム面を有する従動カムとを有し、被作動部の回転により従動カムが固定カムに対して上下に摺動して軸を昇降することを特徴とする。
【００１３】
請求項３に記載の発明は、請求項１又は２に記載の発明において、固定カムと従動カムとにはそれぞれ円周方向に沿って相互に噛みあう山形のカム面を設けてあり、ケースには被作動部の回動を制限するストッパを設けてあり、従動カムが移動したときにカム面の山を乗り越える前にストッパが被作動部の移動を制限することを特徴とする。
【発明の効果】
【００１４】
請求項１に記載の発明によれば、ラッチ装置は召し合わせ框内に設けており、召し合わせ框が中央框を呑み込んでいる中で、ラッチ装置の被作動部と中央框の作動部を作動させる構成であるから、ラッチ装置や被作動部及び作動部が外部に露出しないので、折り戸全体の外観を損なわず、ゴミ等の付着も少ないのでラッチ装置の機能低下を防止できる。また、作動部や被作動部が召し合わせ框や中央框の外部に突設しておらず、足等を傷つけることがないので安全性が高い。
【００１５】
請求項２に記載の発明では、請求項１に記載の発明と同様な効果を奏するとともに、ラッチ装置は、カムの駆動によりラッチを昇降する構成であるから、ラッチの昇降を滑らかに行なうことができる。特に、レールと浴室床が略同一高さのいわゆるバリアフリー構造の場合にも、カム面の形状を調節することによりラッチの昇降位置やタイミングを容易に調節できる。
【００１６】
請求項３に記載の発明では、請求項１又は２に記載の発明と同様の効果を奏すると共に、固定カムと従動カムとはカムの山を乗り越えないように、ストッパが被作動部の移動を規制しているので、ラッチの昇降を容易に且つ滑らかに復元でき、誤作動を生じ難い。
【発明を実施するための最良の形態】
【００１７】
以下に、添付図面を参照して本発明の実施の形態を詳細に説明する。図１は本発明の実施の形態にかかる折り戸の横断面図であり、図２はラッチ装置の軸を切り離して示す分解斜視図であり、図３折り戸が開き状態にある場合のラッチ装置の作用を示す図であり、（ａ）は中竪框と召し合わせ框の横断面図、（ｂ）は召し合わせ框の縦断面、図４は折り戸が閉じ状態にある場合のラッチ装置の作用を示す図であり、（ａ）は中竪框と召し合わせ框の横断面図、（ｂ）は召し合わせ框の縦断面、（ｃ）は（ｂ）に示すラッチ装置を抜き出して示す正面図であり、図５は折り戸下部における納まり状態を示す縦断面図である。
【００１８】
本実施の形態にかかる折り戸１は、浴室戸であって、枠３と障子５とを備えており、図５に示すように、下枠７に設けたレール９と浴室床面１１と脱衣室床面１３とが略同一高さであり、段差のない構成（バリアフリー）になっている。
【００１９】
障子５は、左右の一方側障子（右障子）１５と他方側障子（左側障子）１７と、中央框１９とから構成されており、一方側障子１５の召し合わせ框（一方の召し合わせ框）２１と他方側障子の召し合わせ框（他方の召し合わせ框）２３とが中央框１９に回動自在に連結されている。
【００２０】
中央框１９は、障子の閉じ状態において、その一方側略半分１９ａを一方側召し合わせ框２１に飲み込まれており、他方側略半分１９ｂを他方側召し合わせ框２３に呑みこまれており、一方側召し合わせ框２３の内部にはラッチ装置２５が収納されている。
【００２１】
中央框１９の脱衣室側部には一方の召し合わせ框２１と他方の召し合わせ框２３とがそれぞれ軸着されており、軸部２７、２９を中心に回動自在であり、中央框１９の浴室側面１９ｃは横断面が曲線状になっており、折り戸１の開閉動作時に一方及び他方の召し合わせ框２１、２３が浴室側面１９ｃの曲線に沿って移動するようになっている。
【００２２】
また、中央框１９にはラッチ装置２５に対向する部位に作動部３１が形成してあり、作動部３１は折り戸を開いた状態でも一方の召し合わせ框２１内に位置している。作動部３１は突状であり、折り戸１の閉時にラッチ装置２５の被作動部３３に当接して被作動部３３を移動するようになっている。
【００２３】
ラッチ装置２５は、図２に示すように、ケース３５と、軸３７と、ラッチ３９と、ばね４１とを備えており、ラッチ３９は軸３７の下端３７ａに固定された緩衝部材４３にばね４５を介して昇降自在に取り付けられている。
【００２４】
軸３７はケース３５を挿通しており、ケース３５の上端と軸３７の上端３７ｂの間にはばね４１が介在されており、軸３７はケース３５に対して常時上方（図２における矢印Ｓ）に付勢されている。尚、軸３７はケース３５に対して上下動可能であるとともに回転可能に取り付けられている。
【００２５】
ケース３５内には、下向きのカム曲線４７を有する固定カム４９が形成されており、固定カム４９は略円筒形状であり、カム曲線４７は円筒の下端面沿って複数の山形を有している。
【００２６】
軸３７のケース３５内に位置する部分には、従動カム５１が固定されており、従動カム５１は、固定カム４９と同様な略円筒形状であり、その上端に上向きのカム曲線５３が形成されており、従動カムのカム曲線５３は固定カム４９のカム曲線と噛みあう山形形状になっている。
【００２７】
また、従動カム５１には、上述した被作動部３３が突設されており、被作動部材３３は軸３７とともに従動カム５１を回転する方向に移動される。
【００２８】
尚、従動カム５１はケース３５内に収納されいるとともに、ケース３５には、その下部に切欠き部５５が形成されており、被作動部材３３が切欠き部５５からケース３５の外方に突設しているとともに、切欠き部５５の一側がストッパ５７となって、被作動部材３３の回動を規制している。
【００２９】
次に、本実施の形態にかかる折り戸１の作用及び効果を説明する。図１に一点鎖線ａで示すように折り戸１が開き状態にあるときには、図３に示すように一方の召し合わせ框２１内に設けたラッチ装置２５の被作動部３３と中央框１９に設けた作動部３１とは離れた位置にあり、ラッチ装置２５の軸３７は自由状態になっているので、軸３７はばね４１により上方に付勢されて、ラッチ３９は浴室床面１１よりも上方に位置している。このとき、従動カム５１と固定カム４９とは互いにカム曲線の山が噛み合っており、ラッチ３９は上方に引き上げられて浴室床面１１から離れた位置にある。
【００３０】
そして、折り戸１を閉じるときには、図１の一点鎖線ｂから実線で示す位置にくるが、このときに、中央框１９に対して一方の召し合わせ框２１が回動し、中央框１９に設けた作動部３１がラッチ装置２５の被作動部３３に当接して、従動カム５１に固定されている被作動部３３を回転させる。
【００３１】
被作動部３３が回転すると、従動カム５１は固定カム４９と噛み合っている山形のカム面４７、５３に沿って下方に移動し、図４に示すように、ばね４１の付勢力に抗して軸３７を下方Ｔに向けて押圧する。そして、折り戸１を閉じきると、ラッチ３９は下枠７のレール９に係合し、折り戸１の閉じ状態を保持する。
【００３２】
固定カム４９と従動カム５１とが噛み合うカム面は山形であるから、ラッチ３９は山形面に沿って滑らかに昇降する。
【００３３】
本実施の形態によれば、召し合わせ框２１が中央框１９を呑み込んでいる中で、ラッチ装置２５は召し合わせ框２１内に設けており、且つ中央框１９に設けた作動部３１とラッチ装置２５の被作動部３３とは召し合わせ框の内部に設けてあるので、ラッチ装置２５、作動部３１及び被作動部３３が外部に露出しない。したがって、折り戸１の全体の外観を損なわず、ラッチ装置２５にゴミ等の付着も少ないのでラッチ装置２５の機能低下を防止できる。
【００３４】
また、作動部３１や被作動部３３が召し合わせ框２１及び中央框１９の外部に露出していないので、足等を傷つけることがなく、安全性が高い。
【００３５】
ラッチ３９の引き上げ高さの調節は、カム曲線４７、５３の形状を変えることにより容易にでき、ラッチ装置は簡易な構成で且つ調節しやすい。
【００３６】
固定カム４９と従動カム５１とはカム曲線４７、５３の山を乗り越えないように、ストッパ５７が被作動部３３の移動を規制しているので、ラッチ３９の昇降を容易に復元でき、誤作動を生じ難い。しかも、ケース３５の切欠きの端がストッパ５７となっているので、構成が簡易である。
【００３７】
本発明は、上述した実施の形態に限らず、本発明の要旨を逸脱しない範囲で種々変形可能である。
【００３８】
ラッチ装置２５は左右いずれの召し合わせ框２１、２３に設けるものであってもよくまた、両方の召し合わせ框２１、２３に設けても良い。
【図面の簡単な説明】
【００３９】
【図１】本発明の実施の形態にかかる折り戸の横断面図である。
【図２】ラッチ装置の軸を切り離して示す分解斜視図である。
【図３】折り戸が開き状態にある場合のラッチ装置の作用を示す図であり、（ａ）は中竪框と召し合わせ框の横断面図、（ｂ）は召し合わせ框の縦断面ある。
【図４】折り戸が閉じ状態にある場合のラッチ装置の作用を示す図であり、（ａ）は中竪框と召し合わせ框の横断面図、（ｂ）は召し合わせ框の縦断面、（ｃ）は（ｂ）に示すラッチ装置を抜き出して示す正面図である。
【図５】折り戸下部におけるの納まり状態を示す縦断面図である。
【符号の説明】
【００４０】
１      折り戸
９      レール
１５    一方側障子
１７    他方側障子
１９    中央框
２１    一方の召し合わせ框
２５    ラッチ装置
３１    作動部
３３    被作動部
３５    ケース
３７    軸
３９    ラッチ
４１    ばね
４７    カム曲線
４９    固定カム
５１    従動カム
５３    カム曲線
５７    ストッパ
【図１】
2005133377.tif 000003
【図２】
2005133377.tif 000004
【図３】
2005133377.tif 000005
【図４】
2005133377.tif 000006
【図５】
2005133377.tif 000007